(57)【要約】【課題】本発明は、従来の紙折機に新たな部材や装置を付設することなく、あらかじめ２つ折りにされた用紙を用紙セット台にセットし、さらに２つ折り又は３つ折りする場合に、２つ折りされた用紙を給紙ローラによって紙折機内に取り込む際に生じるずれを、用紙の上に載置するだけで防止できるクロス折りの折りずれ防止具の提供を課題とする。【解決手段】２つ折りされた用紙を、用紙セット台にセットしてさらに２つ折り又は３つ折りする場合に、２つ折りされた用紙を給紙ローラによって紙折機内に取り込む際に生じるずれを防止する折りずれ防止具で、その形状が平面視Ｔ字状の板状体をなし、用紙セット台にセットされた２つ折りの用紙を広い面積で押圧する幅広の長方形状の押圧部と、押圧部が紙の移動に伴って紙折機に引き込まれるのを紙幅規制板の先端部に当接して防止する横長長方形状の引き込み防止部とがＴ字状に一体化された板状体の折りずれ防止具による。【選択図】図１
2016210522.tif 000002
【特許請求の範囲】
【請求項１】
あらかじめ２つ折りされた用紙（Ｐ）を、用紙セット台（１１）にセットして、さらに２つ折り又は３つ折りする場合に、前記２つ折りされた用紙（Ｐ）を給紙ローラ（１２）によって紙折機（１０）内に取り込む際に生じるずれを防止する折りずれ防止具（１）であって、その形状が平面視Ｔ字状の板状体であり、
紙折機（１０）の用紙セット台（１１）に積み重ねられた二つ折りの用紙（Ｐ）を広い面積で押圧する幅広の長方形状の押圧部（１ａ）と、該押圧部（１ａ）が紙の移動に伴って紙折機（１０）に引き込まれるのを紙折機（１０）の紙幅規制板（１３）の先端部に当接して防止する横長長方形状の引き込み防止部（１ｂ）とがＴ字状に一体化された構成の板状体であることを特徴とするクロス折りの折りずれ防止具。
【請求項２】
折りずれ防止具（１）の重さが３０〜８０ｇであることを特徴とする請求項１に記載のクロス折りの折りずれ防止具。
【請求項３】
折りずれ防止具（１）が、紙との摩擦によって帯電しない素材で製作されたものであることを特徴とする請求項１又は２に記載のクロス折りの折りずれ防止具。
【請求項４】
折りずれ防止具（１）が、プラスチック製段ボール板で形成されてなることを特徴とする請求項１〜３のいずれか１項に記載のクロス折りの折りずれ防止具。
【発明の詳細な説明】
【技術分野】
【０００１】
用紙を２つ折り、３つ折りする紙折機において、
２つ折りした用紙を再度その折り目と直交する方向に折る場合に使用し、折る際に生じる折りずれや皺の発生を防止するクロス折りの折りずれ防止具に関する。
【背景技術】
【０００２】
紙折機で２つ折りされた用紙を再度その折り線に直交する方向に折りたたむクロス折りを行う場合、紙折機の用紙セット台にはあらかじめ２つ折りされた用紙の折り目が紙の移動方向と合致するようにして積み重ねられる。したがって、折り目側の高さが他の側（以下「開放側」とする。）の高さより高くなる。
また２つ折りされた用紙の上下となった方の紙面に紙折機の給紙ローラが当接して紙折機内に取り込まれるので、開放側では２つ折りされて上側になった方が僅かながら先に移動する。そのため、用紙の上下が僅かにずれた状態でクロス折りされることとなる。
このクロス折りにおける折りずれを防止するのに、従来は、図４に示すように、先端に紙押さえ板１４を備えたクロス折りアーム１５を、紙折機１０の左右一対の紙幅規制板１３にそれぞれ垂直方向への回動が可能なように装着し、用紙セット台１１に積み重ねられた２つ折り済みの用紙Ｐの左右端に前記クロス折りアーム１５の紙押さえ板１４を当接させることによって行ってきた。
また、このクロス折り機に関する発明も多数なされており、例えば特許文献１には、
『〔請求項２〕２つ折りされて給紙板上に積載されたシートをその折り線に平行に移動させて紙折り部に送給しこの紙折り部において更にその折り線に直交する方向に折り畳む紙折り装置において、前記給紙板上のシート束の前記折り線側の端部を前記給紙板に向けて押圧しつつ回転して前記シートを前記紙折り部に送給する給紙ローラと、シート移動方向におけるこの給紙ローラの上流側に配設され前記シート束の前記折り線側の端部を前記給紙板に向けて押圧するウエイトコロとを有することを特徴とする紙折り装置。
〔請求項３〕前記給紙ローラ及び前記ウエイトコロはいずれも前記シートのサイズに応じて前記シートの幅方向に移動可能に設けられていることを特徴とする請求項２に記載の紙折り装置。』
が開示されている。
また特許文献２には、
『小型卓上紙折機に接続するだけで、簡単にダイレクトメール折りや十字折ができ、また、平行折りにも切り替えられることが可能なクロス折り機』
が開示されている。
【先行技術文献】
【特許文献】
【０００３】
【特許文献１】特開平６−２４６４０合公報
【特許文献２】特開２０１３−７１８０６号公報
【発明の概要】
【発明が解決しようとする課題】
【０００４】
前記クロス折り紙折機は、それぞれ従来の紙折機にクロス折りするための何らかの部材や装置を付設することによって実現されているが、それぞれ下記のような問題点がある。
クロス折りアームを備えた紙折機１０にあっては、紙押さえ板１４が用紙面を押さえる構成となっているため、重いと折りずれは解消できるが用紙と紙押さえ板との間及び積み重ねられた用紙相互間の摩擦抵抗が大きくなり給紙の円滑性を損ね、一方軽いと開放側での折りずれが発生しやすくなる。
また、特許文献１の発明の紙折り装置においては、２つ折りされたシート束の前記折り線側の端部を給紙ローラ及びこの給紙ローラの後方に配置されたウエイトコロにより前記給紙板に向けて押圧しつつ給紙するので、用紙とウエイトコロとの間の摩擦によって給紙の円滑性が損なわれるという問題はなくなるが、２つ折りされた用紙の開放側での折りずれ発生の懸念は残る。また給紙ローラとウエイトコロをシートサイズに応じてシートの幅方向に移動させる機構を備える必要がある。
特許文献２の発明のクロス折り機は、小型卓上紙折機に接続するだけでよいという利便性はあるが、採用するにはそれなりの経費とスペースの確保が必要となる。
本発明は、上記背景技術の問題点に鑑みてなされたもので、従来の紙折機に新たな部材や装置を付設することなく、用紙セット台に積み重ねられた２つ折り済み用紙の上に載置するだけでクロス折りの折りずれを防止できるクロス折りの折りずれ防止具を提供するものである。
【課題を解決するための手段】
【０００５】
本発明者は上記課題を下記の手段により解決した。
（１）あらかじめ２つ折りされた用紙を、用紙セット台にセットして、さらに２つ折り又は３つ折りする場合に、前記２つ折りされた用紙を給紙ローラによって紙折機内に取り込む際に生じるずれを防止する折りずれ防止具であって、その形状が平面視Ｔ字状の板状体であり、
紙折機の用紙セット台に積み重ねられた二つ折りの用紙を広い面積で押圧する幅広の長方形状の押圧部と、該押圧部が紙の移動に伴って紙折機に引き込まれるのを紙折機の紙幅規制板の先端部に当接して防止する横長長方形状の引き込み防止部とがＴ字状に一体化された構成の板状体であることを特徴とするクロス折りの折りずれ防止具。
（２）折りずれ防止具の重さが３０〜８０ｇであることを特徴とする（１）に記載のクロス折りの折りずれ防止具。
（３）折りずれ防止具が、紙との摩擦によって帯電しない素材で製作されたものであることを特徴とする（１）又は（２）に記載のクロス折りの折りずれ防止具。
（４）折りずれ防止具が、プラスチック製段ボール板で形成されていることを特徴とする（１）〜（３）のいずれか１項に記載のクロス折りの折りずれ防止具。
【発明の効果】
【０００６】
本発明のクロス折りの折りずれ防止具によって下記の効果が発揮される。
〈１〉あらかじめ２つ折りされた用紙を、用紙セット台にセットして、さらに２つ折り又は３つ折りする場合に、前記２つ折りされた用紙を給紙ローラによって紙折機内に取り込む際に生じるずれを防止する折りずれ防止具であって、その形状が平面視Ｔ字状の平板体であり、紙折機の用紙セット台に積み重ねられた二つ折りの用紙を広い面積で押圧する幅広の長方形状の押圧部と、該押圧部が紙の移動に伴って紙折機に引き込まれるのを紙折機の紙幅規制板の先端部に当接して防止する横長長方形状の引き込み防止部とがＴ字状に一体化された構成の板状体であるので、
極めて簡易な構造で製造コストも低廉であり、さらに使用する紙折機にはいかなる改修を加えることなくただ用紙セット台に積み重ねられた２つ折りされた用紙の上に載置するだけでよく、かつ幅広の押圧部で２つ折りされた用紙を広い範囲で押さえるのでクロス折りに伴う折りずれの発生を効果的に防止できる。
〈２〉折りずれ防止具の重さが３０〜８０ｇであるので、２つ折りされた用紙の紙折機への円滑な供給と、折りずれの防止とがともに確保される。
〈３〉折りずれ防止具が、紙との摩擦によって帯電しない素材で製作されたものであるので、用紙の帯電によるトラブル発生がなく、安定したクロス折りが実現できる。
〈４〉折りすれ防止具が、プラスチック製段ボール板で形成されているので、製造しやすく、低廉な価格で提供できる。
【図面の簡単な説明】
【０００７】
【図１】本発明の折りずれ防止具の平面図（ａ）及び斜視図（ｂ）
【図２】本発明の折りずれ防止具を用いた紙折機の斜視図
【図３】本発明の折りずれ防止部の作用説明図
【図４】従来のクロス折りアームを備えた紙折機の斜視図
【発明を実施するための形態】
【０００８】
本発明のクロス折りの折りずれ防止具の実施の形態を、実施例の図に基づいて説明する。
図１は本発明の折りずれ防止具の平面図（ａ）及び斜視図（ｂ）、図２は本発明の折りずれ防止具を用いた紙折機の斜視図、図３は本発明の折りずれ防止部の作用説明図である。
図において、１は折りずれ防止具、１ａは押圧部、１ｂは引き込み防止部、１０は紙折機、１１は用紙セット台、１２はローラ、１３は紙幅規制板、Ｐは２つ折りされた用紙、Ｐ’はクロス折りされた用紙を示す。
【０００９】
本発明のクロス折りの折りずれ防止具１は、図１に示すように、あらかじめ２つ折りされた用紙を広い面積押圧する幅広の長方形状をした押圧部１ａと、横長の長方形状でその両端部が紙折機１０の紙幅規制板１３に当接して前記押圧部１ａが用紙の移動とともに紙折機１０内に引き込まれるのを防止する引き込み防止部１ｂとがＴ字状に一体化された板状体で構成されている。そして本折りずれ防止具１は、図２に示すように、紙折機１０の用紙セット台１１に積み重ねられた２つ折りの用紙Ｐの上の載置して使用する。
紙折機１０であらかじめ２つ折りされた用紙Ｐを再度その折り線に直交する方向に折りたたむクロス折りを行う場合、紙折機１０の用紙セット台１１には２つ折りされた用紙Ｐの折り目が紙の移動方向と合致するようにして積み重ねられる。したがって、折り目側の高さが開放側の高さより高くなり、また開放側は上下となった紙面が緩やかに接触した状態となっている。この状態のままで紙折機１０を作動させると、折り目側と開放側とにおける給紙ローラ１２の紙面への接触圧が異なるばかりでなく、開放側では上下の紙面が緩やかに接触していることから給紙ローラ１２が当接する上側となった紙面の方が僅かながら先に移動することとなり、開放側の上下の紙面の重なり具合がずれた状態でクロス折りされることとなる。
本発明のクロス折りの折りずれ防止具１は、用紙セット台１１の積み重ねられたあらかじめ２つ折りされた用紙Ｐの上に載置することによって、 図３に示すように、その幅広の長方形状の押圧部１ａで広い面積を均等に押圧して２つ折りされた用紙Ｐの折り目側と開放側とに給紙ローラ１２が均等な接触圧で当接するようにするととともに、開放側の上下の紙面の接触抵抗を大きくして、２つ折りされた用紙Ｐが紙折機１０内に取り込まれる際に、その重なり具合が乱れるのを防止する作用を行っている。この開放部の重なり具合の乱れを効果的に防止するには、折りずれ防止具１の用紙Ｐ上への載置は、用紙Ｐの開放側に片寄せて行うことが好ましい。
また、折りずれ防止具１の重量も重要な要素であって、軽すぎると折りずれ発生の機会が増え、重すぎると折りずれ防止具１と用紙Ｐ間、及び用紙Ｐ相互間の摩擦抵抗が増え、用紙Ｐの紙折機１０への取り込みの円滑さが損なわれることになるので、３０〜８０ｇとすることが好ましく、より好ましくは４５〜５５ｇの範囲である。
さらに折りずれ防止具１は、用紙Ｐと広い面積で接触するので、乾燥時には用紙Ｐの移動に伴う摩擦によって静電気が発生するおそれもあるので、用紙Ｐとの摩擦によって帯電しない素材で製作されている。特に素材としては、持続性帯電防止を施したプラスチックス製ダンボールが好ましい。
【符号の説明】
【００１０】
１：折りずれ防止具
１ａ：押圧部
１ｂ：引き込み防止部
１０：紙折機
１１：用紙セット台
１２：給紙ローラ
１３：紙幅規制板
【図１】
2016210522.tif 000003
【図２】
2016210522.tif 000004
【図３】
2016210522.tif 000005
【図４】
2016210522.tif 000006